(57)【要約】【課題】高精度に劣化状況を判定することが可能なレーザ光等の光ビームを出力するビーム出力回路の劣化判定方法、ビーム出力回路、及び光記録媒体アクセス装置を提供する。【解決手段】レーザ光出力時の駆動電流を測定し（ステップＳ１）、レーザ出力部に係る温度を測定し（ステップＳ２）、データ記録時の駆動電流の測定値が所定の第２閾値未満と判定した場合（ステップＳ４：ＹＥＳ）、正常であると判定し（ステップＳ５）、駆動電流の測定値が第２閾値以上と判定した場合（ステップＳ４：ＮＯ）、データ読取時の駆動電流の測定値が所定の第１閾値未満であるか否かを判定し（ステップＳ８）、第１閾値未満と判定した場合（ステップＳ８：ＹＥＳ）、読取処理のみ可能と判定し（ステップＳ９）、駆動電流の測定値が第１閾値以上と判定した場合（ステップＳ８：ＮＯ）、劣化していると判定する（ステップＳ１０）。【選択図】図４
2007157286.tif 000002
【特許請求の範囲】
【請求項１】
電流の入力により光ビームを出力するビーム出力部を備えるビーム出力回路の劣化判定方法において、
ビーム出力部に入力する電流を測定し、
ビーム出力部に係る温度を測定し、
測定した電流値及び温度の関係に基づいてビーム出力回路の劣化状況を判定する
ことを特徴とするビーム出力回路の劣化判定方法。
【請求項２】
電流の入力により光ビームを出力するビーム出力部を備えるビーム出力回路において、
ビーム出力部に入力する電流を測定する電流測定手段と、
ビーム出力部に係る温度を測定する温度測定手段と、
電流測定手段が測定した電流値及び温度測定手段が測定した温度の関係に基づいてビーム出力回路の劣化状況を判定する手段と
を備えることを特徴とするビーム出力回路。
【請求項３】
電流の入力により、光記録媒体に対して光ビームを出力するビーム出力部を備える光記録媒体アクセス装置において、
ビーム出力部に入力する電流を測定する電流測定手段と、
ビーム出力部に係る温度を測定する温度測定手段と、
電流測定手段が測定した電流値及び温度測定手段が測定した温度の関係に基づいてビーム出力部の劣化状況を判定する判定手段と
を備えることを特徴とする光記録媒体アクセス装置。
【請求項４】
温度に対応付けて、入力する電流の閾値を記録する記録手段を更に備え、
前記判定手段は、温度測定手段が測定した温度に対応付けられた閾値に対する電流測定手段が測定した電流値の大小関係に基づいて劣化状況を判定する様に構成してあることを特徴とする請求項３に記載の光記録媒体アクセス装置。
【請求項５】
光記録媒体に対して光ビームを出力することにより、データの記録及び読取を行う様に構成してあり、
前記判定手段は、劣化状況としてデータの記録及び読取の可否を判定する様に構成してある
ことを特徴とする請求項３又は請求項４に記載の光記録媒体アクセス装置。
【請求項６】
光記録媒体に対して光ビームを出力することにより、データの記録及び読取を行う様に構成してあり、
温度に対応付けて、入力する電流の第１閾値及び該第１閾値より大きい第２閾値を記録する記録手段を更に備え、
前記判定手段は、電流測定手段が測定した電流値が、温度測定手段が測定した温度に対応付けられた第１閾値以上で、かつ第２閾値未満である場合に、データの読取のみが可能であると判定する様に構成してある
ことを特徴とする請求項３に記載の光記録媒体アクセス装置。
【請求項７】
前記判定手段が判定した結果を出力する手段を更に備えることを特徴とする請求項３乃至請求項６のいずれかひとつに記載の光記録媒体アクセス装置。
【請求項８】
前記判定手段が判定した結果を記録する手段を更に備えることを特徴とする請求項３乃至請求項７のいずれかひとつに記載の光記録媒体アクセス装置。
【発明の詳細な説明】
【技術分野】
【０００１】
電流の入力により光ビームを出力するビーム出力部を備えるビーム出力回路の劣化判定方法、該劣化判定方法を適用したビーム出力回路、及び該ビーム出力回路を用いた光記録媒体アクセス装置に関し、特にビーム出力回路の劣化状況を高精度に判定することが可能なビーム出力回路の劣化判定方法、ビーム出力回路及び光記録媒体アクセス装置に関する。
【背景技術】
【０００２】
ＣＤ(Compact Disc)、ＤＶＤ(Digital Versatile Disc)等の光記録媒体に対するデータの記録及び読取を行うＤＶＤレコーダ等の光記録媒体アクセス装置が広く普及している。この様な光記録媒体アクセス装置では、駆動電流を入力することによりレーザ光等の光ビームを出力するレーザダイオード等の半導体を用いたレーザ出力回路が用いられている。レーザ出力回路は、長時間の使用により経時的に劣化し、レーザ光の出力が低下するため、レーザ出力のモニタ電流を検出して入力する駆動電流を制御し、出力を一定に制御するＡＰＣ(Automatic Power Control) 回路が用いられている。ＡＰＣ回路によりレーザ光の出力が一定となる様に制御した場合、レーザダイオードの劣化に伴い駆動電流が増大して急速に破壊に至る虞がある。そこでＡＰＣ回路が検出したモニタ電流に基づいてレーザダイオードの劣化状況を検知する装置が例えば特許文献１に開示されている。
【特許文献１】特開昭６４−５７７７１号公報
【発明の開示】
【発明が解決しようとする課題】
【０００３】
しかしながら特許文献１に示す様にＡＰＣ回路のモニタ電流に基づいてレーザダイオードの劣化状況を検知する場合、ＡＰＣ回路によるレーザの出力の制御が困難な状況になるまでに劣化状況を検知することができないという精度に関する問題がある。
【０００４】
劣化状況を高精度に検出することができない場合、光記録媒体に対するデータの記録を行う程のレーザ光を出力することが困難であるにも関わらず、光記録媒体に対するデータの読取を行う程度のレーザ光を出力することができるため、レーザダイオードが正常であると判定する状況が生じうる。この様な場合、例えばハードディスクドライブに記録されたデータを、光記録媒体に記録する際に、レーザダイオードの劣化により、突然記録することができなくなる状況も生じうる。例えば光記録媒体への記録を試みたデータが一度だけの複製を許可されたコピーワンス番組である場合で、突然記録することができなくなったとき、光記録媒体へデータを記録することができないだけでなく、元のデータを使用することも出来なくなるという取り返しのつかない状況にまで発展する可能性がある。
【０００５】
本発明は斯かる事情に鑑みて成されたものであり、レーザダイオード等のビーム出力部に入力する電流及びビーム出力部に係る温度に基づいて劣化状況を判定することにより、高精度に劣化状況を判定することが可能なビーム出力回路の劣化判定方法、該劣化判定方法を適用したビーム出力回路、及び該ビーム出力回路を用いた光記録媒体アクセス装置の提供を主たる目的とする。
【０００６】
さらに本発明は、光記録媒体に対するデータの記録及び読取を行うＤＶＤレコーダ等の光記録媒体アクセス装置に適用した場合に、ビーム出力部の劣化状況に応じて、データの読取のみが可能な再生専用装置として用いることが可能であると判定することにより、記録が不可能な状態を判定するだけでなく、再生のみ可能な状態であるか否かを判定するので装置を有効に使用することが可能な光記録媒体アクセス装置等の提供を他の目的とする。
【課題を解決するための手段】
【０００７】
本発明に係るビーム出力回路の劣化判定方法は、電流の入力により光ビームを出力するビーム出力部を備えるビーム出力回路の劣化判定方法において、ビーム出力部に入力する電流を測定し、ビーム出力部に係る温度を測定し、測定した電流値及び温度の関係に基づいてビーム出力回路の劣化状況を判定することを特徴とする。
【０００８】
本発明では、電流値及び温度の関係に基づいて劣化状況を判定することにより、或る出力に対する電流値は温度に依存するという特性を加味してビーム出力回路の劣化を判定することができるので、高精度に劣化状況を判定することが可能である。
【０００９】
本発明に係るビーム出力回路は、電流の入力により光ビームを出力するビーム出力部を備えるビーム出力回路において、ビーム出力部に入力する電流を測定する電流測定手段と、ビーム出力部に係る温度を測定する温度測定手段と、電流測定手段が測定した電流値及び温度測定手段が測定した温度の関係に基づいてビーム出力回路の劣化状況を判定する手段とを備えることを特徴とする。
【００１０】
本発明では、電流値及び温度の関係に基づいて劣化状況を判定することにより、或る出力に対する電流値は温度に依存するという特性を加味してビーム出力回路の劣化を判定することができるので、高精度に劣化状況を判定することが可能である。
【００１１】
本発明に係る光記録媒体アクセス装置は、電流の入力により、光記録媒体に対して光ビームを出力するビーム出力部を備える光記録媒体アクセス装置において、ビーム出力部に入力する電流を測定する電流測定手段と、ビーム出力部に係る温度を測定する温度測定手段と、電流測定手段が測定した電流値及び温度測定手段が測定した温度の関係に基づいてビーム出力部の劣化状況を判定する判定手段とを備えることを特徴とする。
【００１２】
本発明では、電流値及び温度の関係に基づいて劣化状況を判定することにより、或る出力に対する電流値は温度に依存するという特性を加味してビーム出力回路の劣化を判定することができるので、高精度に劣化状況を判定することが可能である。
【００１３】
本発明に係る光記録媒体アクセス装置は、温度に対応付けて、入力する電流の閾値を記録する記録手段を更に備え、前記判定手段は、温度測定手段が測定した温度に対応付けられた閾値に対する電流測定手段が測定した電流値の大小関係に基づいて劣化状況を判定する様に構成してあることを特徴とする。
【００１４】
本発明では、温度に対応付けられた閾値と、測定した電流値を比較することにより、温度特性を加味して高精度に劣化状況を判定することが可能である。
【００１５】
本発明に係る光記録媒体アクセス装置は、光記録媒体に対して光ビームを出力することにより、データの記録及び読取を行う様に構成してあり、前記判定手段は、劣化状況としてデータの記録及び読取の可否を判定する様に構成してあることを特徴とする。
【００１６】
本発明では、ＤＶＤレコーダ等の装置に適用され、劣化状況としてデータの記録及び読取の可否を判定することにより、データ記録時の異常発生等のトラブルを未然に防ぐ等、実用に則した判定を行うことが可能である。
【００１７】
本発明に係る光記録媒体アクセス装置は、光記録媒体に対して光ビームを出力することにより、データの記録及び読取を行う様に構成してあり、温度に対応付けて、入力する電流の第１閾値及び該第１閾値より大きい第２閾値を記録する記録手段を更に備え、前記判定手段は、電流測定手段が測定した電流値が、温度測定手段が測定した温度に対応付けられた第１閾値以上で、かつ第２閾値未満である場合に、データの読取のみが可能であると判定する様に構成してあることを特徴とする。
【００１８】
本発明では、ビーム出力部が、データの記録を行うことができない程度に劣化していても、データの読取を行うことが可能であるか否かを判定することにより、ビーム出力部が劣化した装置を読取のみを行う再生専用装置として用いることができるので、装置を有効に使用することが可能である。
【００１９】
本発明に係る光記録媒体アクセス装置は、前記判定手段が判定した結果を出力する手段を更に備えることを特徴とする。
【００２０】
本発明では、判定した結果を出力することにより、ユーザに対して劣化状況を通知することが可能である。
【００２１】
本発明に係る光記録媒体アクセス装置は、前記判定手段が判定した結果を記録する手段を更に備えることを特徴とする。
【００２２】
本発明では、判定した結果を記録することにより、例えば修理時に劣化状況を容易に確認することが可能である。
【発明の効果】
【００２３】
本発明のビーム出力回路の劣化判定方法、ビーム出力回路及び光記録媒体アクセス装置は、レーザ光等の光ビームを出力するレーザダイオード等のビーム出力部に入力される駆動電流を測定し、ビーム出力部の温度を測定し、測定した電流値及び温度の関係に基づいてビーム出力部の劣化状況を判定する。
【００２４】
この構成により、本発明では、或る出力に対する電流値は温度に依存するという特性を加味してビーム出力回路の劣化を判定することができるので、例えばＡＰＣ回路のモニタ電流に基づいて劣化状況を検知する従来の方法と比べて、劣化状況を早期に、かつ高精度に判定することが可能である等、優れた効果を奏する。
【００２５】
また本発明では、光記録媒体に対して光ビームを出力することでデータの記録及び読取を行うＤＶＤレコーダ等の装置に適用され、データの読取の可否を判定する第１閾値及びデータの記録の可否を判定する第２閾値を記録しておき、測定した電流が第１閾値以上で、かつ第２閾値未満である場合に、データの読取のみが可能であると判定する。
【００２６】
この構成により、本発明では、ビーム出力部が、データの記録を行うことができない程度に劣化していても、データの読取を行うことが可能であるか否かを判定することになり、ビーム出力部が劣化した装置を読取のみを行う再生専用装置として用いることができるので、装置を有効に使用することが可能である等、優れた効果を奏する。
【００２７】
さらに本発明では、判定した結果を出力することにより、ユーザに対して劣化状況を通知することが可能であり、判定した結果を記録することにより、例えば修理時に劣化状況を容易に確認することが可能である等、優れた効果を奏する。
【発明を実施するための最良の形態】
【００２８】
以下、本発明をその実施の形態を示す図面に基づいて詳述する。図１は、本発明の光記録媒体アクセス装置の構成例を示すブロック図である。図１中１は、ＤＶＤレコーダ等の光記録媒体アクセス装置であり、光記録媒体アクセス装置１は、装置全体を制御するＣＰＵ等の制御機構１０と、制御機構１０の制御により実行されるプログラム及びデータ等の各種情報を記録するＲＯＭ等の記録機構１１と、制御機構１０の制御によるプログラムの実行時に発生するデータを一時的に記憶するＲＡＭ等の記憶機構１２とを備えている。また光記録媒体アクセス装置１は、ＤＶＤ等の光記録媒体２にアクセスして、データの記録及び読取を行う記録／読取機構１３を備えている。
【００２９】
また記録媒体アクセス装置１は、外部のアンテナ（図示せず）により受信した放送波から所望の番組情報を取得するチューナ、外部の装置（図示せず）から各種データの入力を受け付ける入力インタフェース等の入力機構１４と、モニタ等の表示装置３、その他外部の装置（図示せず）へデータを出力する出力機構１５と、ユーザの操作を受け付ける押釦等の操作機構１６と、必要に応じて各種情報を表示するＬＥＤパネル等の表示機構１７とを備えている。
【００３０】
図２は、本発明の光記録媒体アクセス装置１が備える記録／読取機構１３の構成例を示すブロック図である。記録／読取機構１３は、光記録媒体２に対してレーザ光等の光ビームを射出（出力）してデータの記録及び読取を行うピックアップ回路１３１と、レーザ光の出力を制御するレーザ（ビーム）出力制御回路１３２と、レーザ光に関する劣化判定を行うマイコン等の劣化判定回路１３３とを備えている。
【００３１】
ピックアップ回路１３１は、レーザ出力制御回路１３２から入力される駆動電流によりレーザ光を出力するレーザダイオード等のレーザ（ビーム）出力部１３１１と、レーザ出力部１３１１を保護するハウジングの表面温度等のレーザ出力部１３１１に係る温度を測定する温度測定部１３１２と、レーザ出力部１３１１から出力されるレーザ光の強度をモニタ電流として検出するピンフォトダイオード等の出力検出部１３１３と、出力検出部１３１３が検出したモニタ電流をフィードバック電圧に変換してレーザ出力制御回路１３２へ出力するＡＰＣアンプ部１３１４と、光記録媒体２に対して射出したレーザ光の反射光を受光する受光部１３１５とを備えている。
【００３２】
そしてピックアップ回路１３１では、レーザ出力部１３１１からレーザ光を光記録媒体２に射出することにより、光記録媒体２に対するデータの記録を行い、また記録時より低出力のレーザ光を光記録媒体２に射出して、その反射光を受光部１３１５にて受光することにより光記録媒体２からのデータの読取を行う。
【００３３】
レーザ出力制御回路１３２は、光記録媒体２へのデータの記録時及び読取時のレーザ射出電力（レーザパワー）の設定値を出力する設定部１３２１と、設定部１３２１から出力された設定値に対し、ピックアップ回路１３１から出力されたフィードバック電圧に基づく数値を減算することで、設定値を修正する減算部１３２２と、減算部１３２２にて修正された設定値に基づく駆動電流を生成するＬＤドライバ部１３２３と、ＬＤドライバ部１３２３にて生成されピックアップ回路１３１へ出力される駆動電流を測定する電流測定部１３２４とを備えている。
【００３４】
ＬＤドライバ部１３２３は、設定部１３２１から出力される設定値に基づきデータの記録時及び読取時の駆動電流の制御を行う。例えばデータの記録時、ＬＤドライバ部１３２３では、パルス幅及びタイミングを制御してレーザ出力部１３１１から射出するレーザ光をパルス発光させることにより、光記録媒体２のディスク記録面の温度を調整し、データを正確に記録することを可能とする。また例えばデータの読取時、ＬＤドライバ部１３２３では、レーザ出力部１３１１から射出させるレーザ光に、振幅及び周波数を制御した矩形波を重畳することにより、レーザ光のノイズを逓減することを可能とする。
【００３５】
また本発明の光記録媒体アクセス装置１が備える記録／読取機構１３では、出力検出部１３１３、ＡＰＣアンプ部１３１４、設定部１３２１、減算部１３２２及びＬＤドライバ部１３２３が協働してフィードバック制御を行うことにより、レーザ出力部１３１１から射出するレーザ光の出力を安定化させることが可能である。
【００３６】
劣化判定回路１３３は、ピックアップ回路１３１の温度測定部１３１２が測定したレーザ出力部１３１１に係る温度の測定値、及びレーザ出力制御回路１３２の電流測定部１３２４が測定した駆動電流の測定値の入力を受け付ける入力部１３３１と、レーザ出力部１３１１の劣化状況の判定に要する各種閾値を記録した閾値テーブル１３３２ａを含むメモリである記録部１３３２と、入力部１３３１が受け付けた測定値及び記録部１３３２に記録されている閾値に基づき劣化状況の判定に関する演算を行う演算部１３３３と、演算部１３３３による演算の結果を出力する出力部１３３４とを備えている。
【００３７】
閾値テーブル１３３２ａには、０℃、２０℃、４０℃、６０℃の各温度に対応付けて、駆動電流の第１閾値及び第２閾値が記録されている。第１閾値は、光記録媒体２からのデータの読取の可否の判定の基準となる値であり、第２閾値は、光記録媒体２に対するデータの記録の可否の判定の基準となる値である。なお閾値テーブル１３３２ａに記録されていない５℃、１０℃等の温度に対する各閾値は、その温度の前後の温度に対応する各閾値を直線補間することにより都度算出される。
【００３８】
次にレーザ出力部１３１１に係る温度と駆動電流との関係及び閾値の設定の方法について説明する。図３は、本発明の光記録媒体アクセス装置１にて用いられるレーザ出力部１３１１の駆動電流、温度及びレーザ射出電力（レーザパワー）の関係を例示したグラフである。図３に例示したグラフは、横軸にレーザ出力部１３１１の駆動電流をとり、縦軸にレーザ射出電力をとって、特定の温度における駆動電流とレーザ射出電力との関係を示したものである。レーザ出力部１３１１の駆動電流は、電流測定部１３２４が測定した値である。レーザ射出電力は、レーザ出力部１３１１から出力されるレーザ光の強度をＡＰＣアンプ部１３１４の出力に要した電力値を用いて示した値である。温度は、温度測定部１３１２が測定した値である。
【００３９】
Ｔ１、Ｔ２、Ｔ３及びＴ４は、Ｔ１＜Ｔ２＝Ｔ４＜Ｔ３の関係にある。Ｔ１、Ｔ２及びＴ３は、レーザ出力部１３１１が正常に機能している場合の駆動電流とレーザ射出電力との関係を示しており、Ｔ４は、レーザ出力部１３１１が劣化した場合の駆動電流とレーザ射出電力との関係を示している。またＰ１が光記録媒体２からデータを読み取る場合のレーザ射出電力であり、Ｐ２が光記録媒体２にデータを記録する場合のレーザ射出電力である。
【００４０】
図３に示す様に、データの読取時よりデータの記録時の方が要求されるレーザ光の強度が大きい。またレーザ出力部１３１１の温度が高い程、レーザ光の強度を維持するために入力すべき電流が大きくなる。そしてレーザ出力部１３１１が劣化した場合には、更に電流を大きくしなければデータの読取及び記録を行うことができなくなる。
【００４１】
本発明の記録媒体アクセス装置１では、ＡＰＣアンプ部１３１４等の各部が協働してフィードバック制御を行うことにより、レーザ出力部１３１１から射出するレーザ光の出力をＰ１又はＰ２を目標値として一定に制御することができるため、図３から明らかな様に温度測定部１３１２が測定した温度の測定値及び電流測定部１３２４が測定した駆動電流の測定値の関係からレーザ出力部１３１１の劣化状況を判定することができる。
【００４２】
図３に示す関係は、レーザ出力部１３１１毎に異なるため、レーザ出力部１３１１の生産時にレーザキャリブレーションと呼ばれる出力の校正を行う必要がある。また構成時の測定により得られたレーザ出力部１３１１の初期電流値の例えば１．５倍が閾値として設定され、閾値テーブル１３２２ａに記録される。例えば校正時の条件及び測定結果が以下の関係にあるものとする。
【００４３】
読取時レーザ射出電力：５ｍＷ、温度測定値：２５℃、電流測定値：５０ｍＡ、
記録時レーザ射出電力：３０ｍＷ、温度測定値：２５℃、電流測定値：８０ｍＡ、
読取時レーザ射出電力：５ｍＷ、温度測定値：４０℃、電流測定値：６０ｍＡ、
記録時レーザ射出電力：３０ｍＷ、温度測定値：４０℃、電流測定値：９０ｍＡ、
【００４４】
上記の例の関係にある場合、読取時の電流値は、下記の式１として示すことが可能であり、記録時の電流値は、下記の式２として示すことが可能である。
【００４５】
読取時電流値＝０．５×温度＋３７．５ｍＡ  …式１
記録時電流値＝０．５×温度＋６７．５ｍＡ  …式２
【００４６】
ここで電流値の１．５倍を閾値として設定するとすると、読取時の電流の閾値は、下記の式３で示すことが可能であり、記録時の電流の閾値は、下記の式４で示すことが可能である。
【００４７】
読取時電流閾値＝（０．５×温度＋３７．５ｍＡ）×１．５  …式３
記録時電流閾値＝（０．５×温度＋６７．５ｍＡ）×１．５  …式４
【００４８】
式３及び式４を用いて算出した閾値は、０℃、２０℃、４０℃、６０℃の各温度に対応付けて、又は式そのものとして閾値テーブル１３３２ａに記録される。なお閾値としては、読取時の閾値を示す第１閾値と、記録時の閾値を示す第２閾値とが記録される。そして電流測定部１３２４が測定した駆動電流がこれらの閾値以上となると、レーザ出力部１３１１に劣化が生じていると判定する。ただし第１閾値より第２閾値が大きいため、測定した電流が第１閾値以上で、かつ第２閾値未満となる場合が生じる。この場合、記録が不可能な程度に劣化しているが、読取は可能であると判定する。
【００４９】
次に本発明の光記録媒体アクセス装置１の処理を説明する。図４は、本発明の光記録媒体アクセス装置１の処理の一例を示すフローチャートである。本発明の光記録媒体アクセス装置１では、例えば起動時にレーザ光の出力テストを実施する。光記録媒体アクセス装置１が備えるレーザ出力制御回路１３２では、レーザ光出力時の駆動電流を電流測定部１３２４にて測定し（ステップＳ１）、測定値を劣化判定回路１３３へ出力する。また光記録媒体アクセス装置１が備えるピックアップ回路１３１では、レーザ出力部１３１１に係る温度を温度測定部１３１２にて測定し（ステップＳ２）、測定値を劣化判定回路１３３へ出力する。
【００５０】
光記録媒体アクセス装置１が備える劣化判定回路１３３では、入力部１３３１により、電流測定部１３２４が測定した駆動電流の測定値及び温度測定部１３１２が測定したレーザ出力部１３１１に係る温度の測定値の入力を受け付け、受け付けた温度の測定値に対応する第１閾値及び第２閾値を閾値テーブル１３２２ａから抽出する（ステップＳ３）。
【００５１】
光記録媒体アクセス装置１が備える劣化判定回路１３３では、データ記録用のレーザ光を出力した時の駆動電流の測定値が第２閾値未満であるか否かを判定し（ステップＳ４）、駆動電流の測定値が第２閾値未満であると判定した場合（ステップＳ４：ＹＥＳ）、レーザ出力部１３１１は正常であると判定し（ステップＳ５）、判定した結果を記録部１３３２に記録し（ステップＳ６）、また判定した結果を出力部１３３４から出力する（ステップＳ７）。ステップＳ６にて記録された内容は、例えば修理を行う場合に、判定結果の履歴として参照することが可能である。ステップＳ７にて出力部１３３４から出力された判定結果は、例えば表示機構１７へ送られ表示機構１７にて表示（出力）され、また出力機構１５へ出力され表示装置３にて表示される。
【００５２】
ステップＳ４において、駆動電流の測定値が第２閾値以上であると判定した場合（ステップＳ４：ＮＯ）、劣化判定回路１３３では、データ読取用のレーザ光を出力した時の駆動電流の測定値が第１閾値未満であるか否かを判定し（ステップＳ８）、駆動電流の測定値が第１閾値未満であると判定した場合（ステップＳ８：ＹＥＳ）、レーザ出力部１３１１は、読取処理のみ可能であると判定し（ステップＳ９）、ステップＳ６へ進み、以降の処理を実行する。レーザ出力部１３１１は読取処理のみが可能であると判定した場合、光記録媒体アクセス装置１は、光記録媒体２からデータの読取のみを行う装置、即ち再生専用装置として使用される。
【００５３】
ステップＳ８において駆動電流の測定値が第１閾値以上であると判定した場合（ステップＳ８：ＮＯ）、劣化判定回路１３３では、レーザ出力部１３１１は記録及び読取のいずれもが不可能な程度に劣化していると判定し（ステップＳ１０）、ステップＳ６へ進み、以降の処理を実行する。
【００５４】
前記実施の形態では、レーザ光を用いた装置に適用する形態を示したが、本発明はこれに限らず、レーザ光以外の光ビームを用いた装置に適用する等、様々な形態に展開することが可能である
【００５５】
また前記実施の形態では、ＤＶＤレコーダに適用する形態を示したが、本発明はこれに限らず、光記録媒体にアクセスする様々な装置に適用することが可能であり、例えばＣＤプレイヤ等の再生専用装置に適用することも可能である。
【図面の簡単な説明】
【００５６】
【図１】本発明の光記録媒体アクセス装置の構成例を示すブロック図である。
【図２】本発明の光記録媒体アクセス装置が備える記録／読取機構の構成例を示すブロック図である。
【図３】本発明の光記録媒体アクセス装置にて用いられるレーザ出力部の駆動電流、温度及びレーザ射出電力の関係を例示したグラフである。
【図４】本発明の光記録媒体アクセス装置の処理の一例を示すフローチャートである。
【符号の説明】
【００５７】
１  光記録媒体アクセス装置
１３  記録／読取機構
１３１  ピックアップ回路
１３１１  レーザ出力部
１３１２  温度測定部
１３１４  ＡＰＣアンプ部
１３２  レーザ出力制御回路
１３２３  ＬＤドライバ部
１３２４  電流測定部
１３３  劣化判定回路
１３３２  記録部
１３３２ａ  閾値テーブル
２  光記録媒体
【図１】
2007157286.tif 000003
【図２】
2007157286.tif 000004
【図３】
2007157286.tif 000005
【図４】
2007157286.tif 000006